(57)【要約】      （修正有）【課題】パワー効率が改善され、使用する導電性ワイヤが少ない電源を提供する。【解決手段】マザーボード、第１、第２のソケットおよびＤＣ−ＤＣコンバータモジュールを備える。マザーボードは、入力パワーを第１のＡＣ出力パワーに変換するトランスおよび、第１のＤＣ出力パワーにするフィルタを備える。第１のソケットは、マザーボード上に取り付けられて、第１のＤＣ出力パワーを供給する導体端子経由で、マザーボードの回路に電気的に接続される。マザーボードに電気的に接続されたプリント回路基板上に取り付けられたＤＣ−ＤＣコンバータモジュールは、第１のＤＣ出力パワーを受け入れて、第２のＤＣ出力パワーおよび第３のＤＣ出力パワーに変換するＤＣ−ＤＣコンバータを備える。第２のソケットは、プリント回路基板第２および第３のＤＣ出力パワーを供給する。【選択図】図３
0003171420.tif 000002
【実用新案登録請求の範囲】
【請求項１】
電源であって、
マザーボードであって、
入力パワーを第１のＡＣ出力パワーに変換するために動作可能なトランスと、
前記第１のＡＣ出力パワーを受け入れ、かつ前記第１のＡＣ出力パワーにフィルタをかけて第１のＤＣ出力パワーにするために動作可能なフィルタと、を備えたマザーボードと、
前記マザーボード上に取り付けられ、かつ前記第１のＤＣ出力パワーを供給するための少なくとも一つの導体端子を経由して前記マザーボードの回路に電気的に接続される第１のソケットと、
前記マザーボードに電気的に接続されるプリント回路基板上に取り付けられるＤＣ−ＤＣコンバータモジュールであって、
前記第１のＤＣ出力パワーを受け入れ、かつ前記第１のＤＣ出力パワーを第２のＤＣ出力パワーおよび第３のＤＣ出力パワーに変換するために動作可能なＤＣ−ＤＣコンバータ、を備えるモジュールと、
前記プリント回路基板と第２のソケットとの間の導電接続によって前記第２のＤＣ出力パワーおよび前記第３のＤＣ出力パワーを供給するために動作可能な前記第２のソケットと、を備える電源。
【請求項２】
請求項１に記載の電源であって、さらに、ハウジングであって、
前記第１のソケットおよび前記第２のソケットを収容するために動作可能な第１の穴および第２の穴を備えた後面パネルと、
その上に前記マザーボードを固定するために動作可能な底部パネルと、を備えるハウジングを備え、
前記マザーボードおよび前記プリント回路基板が、２つの分離されたかつ個々のボードであり、
前記第１のソケットが、導体端子の曲がった部分の主要面に対してほぼ垂直な方向に前記曲がった部分から延出する脚部部分を含む少なくとも一つの前記導体端子を有し、および前記導体端子の前記脚部部分が、前記マザーボードに挿入され、かつ前記マザーボードの前記回路に電気的に接続され、
前記第２のソケットが、前記ＤＣ−ＤＣコンバータモジュールの前記プリント回路基板にほぼ垂直に挿入され、かつ前記プリント回路基板の前記回路に電気的に接続される少なくとも一つの導体端子を備える、ことを特徴とする電源。
【請求項３】
請求項１に記載の電源であって、前記第１のソケットが、導体端子の曲がった部分の主要面に対してほぼ垂直な方向に前記曲がった部分から延出する脚部部分を含む少なくとも一つの前記導体端子を有し、および前記導体端子の前記脚部部分が、前記マザーボードに挿入され、かつ前記マザーボードの前記回路に電気的に接続される、ことを特徴とする電源。
【考案の詳細な説明】
【技術分野】
【０００１】
本考案は、電源に、および、特にマザーボードと異なる個々のプリント回路基板上に取り付けられたＤＣ−ＤＣコンバータモジュールを含む電源に関する。
【背景技術】
【０００２】
図１を参照して、従来の電源の斜視図が、例示される。図１に示すように、電源１００はマザーボード１１０およびハウジング１２０を含む。典型的なマザーボード１１０の一例は、一般にマザーボード１１０上に取り付けられたトランス１１１、コンデンサ、抵抗器、フィルタ、などのようないくつかの基本構成部品を備える。マザーボード１１０は、外部電源からＡＣ入力パワーを受け入れて、電源１００から電源１００に結合される着脱可能なケーブル経由でコンピュータケースの内側に配設される構成部品まで、ＤＣ出力パワーを供給するために入力ソケット１１２によって外部電源に電気的に接続され、トランス１１１が、受け入れられたＡＣ入力パワーを１２ボルトのＡＣパワー、５ボルトのＡＣパワーおよび／または３．３ボルトのＡＣパワーに変換し、および、１２ボルトのＡＣパワー、５ボルトのＡＣパワーおよび／または３．３ボルトのＡＣパワーがフィルタによってフィルタをかけられて１２ボルトのＤＣパワー、５ボルトのＤＣパワーおよび／または３．３ボルトのＤＣパワーを供給する。１２ボルトのＤＣパワー、５ボルトのＤＣパワーおよび／または３．３ボルトのＤＣパワーは、マザーボード１１０からソケット１１７まで１２ボルトのＤＣパワー、５ボルトのＤＣパワーおよび／または３．３ボルトのＤＣパワーを供給するために複数のワイヤ１１３Ａ、１１３Ｂ、１１４Ａ、１１４Ｂ、１１５Ａ、１１５Ｂ、１１６Ａおよび１１６Ｂによって、ソケット１１７に接続されて配電される。マザーボード１１０からソケット１１７までそれぞれ１２ボルトのＤＣパワー、５ボルトのＤＣパワーおよび／または３．３ボルトのＤＣパワーを供給するために、複数のワイヤ１１３Ａ、１１３Ｂ、１１４Ａ、１１４Ｂ、１１５Ａ、１１５Ｂ、１１６Ａおよび１１６Ｂを活用する必要がある。したがって、電源１００内に活用されるより多くの導電性ワイヤがあるので、電源１００の回路はより複雑でより多くのパワー消費量を有する。換言すれば、マザーボード１１０とソケット１１７との間に電気的に接続されるより多くの導電性ワイヤがあり、それは、より高い抵抗およびより多くのパワー損失を意味する。
【０００３】
図２を参照して、ＤＣ−ＤＣコンバータを含む別の従来の電源の斜視図が例示される。図２に示すように、電源２００はマザーボード２１０およびハウジング２２０を含む。典型的なマザーボード２１０の一例は、一般にマザーボード２１０上に取り付けられたトランス２１１、ＤＣ−ＤＣコンバータ２１３、コンデンサ、抵抗器、フィルタ、などのようないくつかの基本構成部品を備える。マザーボード２１０は、外部電源からＡＣ入力パワーを受け入れて、電源２００から電源２００に結合される着脱可能なケーブル経由でコンピュータケースの内側に配設される構成部品まで、ＤＣ出力パワーを供給するために入力ソケット２１２によって外部電源に電気的に接続され、トランス２１１が、受け入れられたＡＣ入力パワーを１２ボルトのＡＣパワーに変換し、および、１２ボルトのＡＣパワーがフィルタによってフィルタをかけられて１２ボルトのＤＣパワーを供給する。１２ボルトのＤＣパワーは、ＤＣ−ＤＣコンバータ２１３によって変換されて５ボルトのＤＣパワーおよび／または３．３ボルトのＤＣパワーを供給する。１２ボルトのＤＣパワー、５ボルトのＤＣパワーおよび／または３．３ボルトのＤＣパワーは、マザーボード２１０からソケット２１７まで１２ボルトのＤＣパワー、５ボルトのＤＣパワーおよび／または３．３ボルトのＤＣパワーを供給するために複数の導電性ワイヤによって、ソケット２１７に接続されて配電される。マザーボード２１０からソケット２１７までそれぞれ１２ボルトのＤＣパワー、５ボルトのＤＣパワーおよび／または３．３ボルトのＤＣパワーを供給するために、複数の導電性ワイヤを活用する必要がある。したがって、電源２００内に活用されるより多くの導電性ワイヤがあるので、電源２００の回路はより複雑でより多くのパワー消費量を有する。換言すれば、マザーボード２１０とソケット２１７との間に電気的に接続されるより多くの導電性ワイヤがあり、それは、より高い抵抗およびより多くのパワー損失を意味する。
【考案の概要】
【考案が解決しようとする課題】
【０００４】
したがってパワー損失およびパワー効率が改善されることができるように、導電性ワイヤの使用および単に回路を減少させるために電源を提供することが、望ましいであろう。
【０００５】
本考案の主目的は、マザーボードおよび個々のプリント回路基板が２つの分離されたボードであり、そこにおいてＤＣ−ＤＣコンバータモジュールが、個々のプリント回路基板上に取り付けられ、およびただ２本の導電性ワイヤだけがＤＣ−ＤＣコンバータモジュールをマザーボードに電気的に接続するために活用されるので、導電性ワイヤの使用および単に電源の回路を減少させることができるＤＣ−ＤＣコンバータモジュールを有する電源を提供することである。したがって、より多くの導電性ワイヤが除去されることができる。
【０００６】
本考案の別の目的は、導電性ワイヤの使用の減少、そこにおいてマザーボードおよび個々のプリント回路基板が、２つの分離されたボードであり、ならびにマザーボードおよび個々のプリント回路基板の回路がそれぞれ設計されることができるので、パワー損失および電圧降下問題を減少させることができるＤＣ−ＤＣコンバータモジュールを有する電源を提供することである。
【０００７】
本考案の別の目的は、パワー損失および導電性ワイヤの使用の減少のために、パワー効率を改善することができるＤＣ−ＤＣコンバータモジュールを有する電源を提供することである。
【０００８】
本考案の別の目的は、製造費用が減少させられることができ、および電源の効率が改善されることができるように、マザーボードおよび個々のプリント回路基板が２つの分離されたボードであるので、容易に修復されるかまたは交換されることができるＤＣ−ＤＣコンバータモジュールを有する電源を提供することである。
【課題を解決するための手段】
【０００９】
したがって、一つのまたはいくつかのまたは全ての上記目的を達成するために、本考案は、電源であって、
マザーボードであって、
入力パワーを第１のＡＣ出力パワーに変換するために動作可能なトランスと、
第１のＡＣ出力パワーを受け入れて、第１のＡＣ出力パワーにフィルタをかけて第１のＤＣ出力パワーにするために動作可能なフィルタと、を備えたマザーボードと、
マザーボード上に取り付けられて、第１のＤＣ出力パワーに供給するための少なくとも一つの導体端子を経由してマザーボードの回路に電気的に接続される第１のソケットと、  マザーボードに電気的に接続されるプリント回路基板上に取り付けられるＤＣ−ＤＣコンバータモジュールであって、
第１のＤＣ出力パワーを受け入れて、第１のＤＣ出力パワーを第２のＤＣ出力パワーおよび第３のＤＣ出力パワーに変換するために動作可能なＤＣ−ＤＣコンバータ、を備えるモジュールと、
プリント回路基板と第２のソケットとの間の導電接続によって第２のＤＣ出力パワーおよび第３のＤＣ出力パワーを供給するために動作可能な第２のソケットと、を備える電源を提供する。
【００１０】
本考案のこれらのおよび他の特徴および効果の１つまたは一部または全部が、単に本考案を実施するために最適なモードの１つの例証として、図と共に記載された本考案の好ましい実施態様がある、以下の記述からこの技術の当業者に直ちに明らかになるであろう。理解されるように、本考案は異なる実施態様が可能であり、および、そのいくつかの詳細は本考案から逸脱することなく、全てさまざまな、明白な態様における変更が可能である。したがって、この図面および記述は本質的に例証となり、および、限定的でないとみなされる。
【考案の効果】
【００１１】
本考案は、電源のパワー仕様が容易に設計されるかまたは変更されることができ、および、導電性ワイヤの使用および電源内のパワー消費量が減少させられることができるように、電源のマザーボードと異なる個々のプリント回路基板に取り付けられるＤＣ−ＤＣコンバータモジュールを含む電源を提供することができる。
【図面の簡単な説明】
【００１２】
【図１】従来の電源の斜視図を示す。
【図２】ＤＣ−ＤＣコンバータを含む別の従来の電源の斜視図を示す。
【図３】本考案の好ましい実施態様に従うＤＣ−ＤＣコンバータモジュールを有する電源の斜視図を示す。
【図４】本考案の好ましい実施態様に従うＤＣ−ＤＣコンバータモジュールを有する電源の斜視図を示す。
【図５】本考案の好ましい実施態様に従うＤＣ−ＤＣコンバータモジュールを有する電源の斜視図を示す。
【考案を実施するための形態】
【００１３】
本考案の詳細な実施態様がここに開示されるが、しかしながら、開示された実施態様が単にさまざまな形式で具体化されることができる本考案の例証となるだけであることが、理解されるべきである。加えて、本考案のさまざまな実施態様と関連して与えられる実例の各々は、例証となり、かつ限定的でないことを目的とされる。更に、図は必ずしも一定の比率であるというわけではなく、いくつかの特徴は、特定の構成部品の詳細を示すために誇張される場合がある。したがって、本願明細書において開示される特定の構造上および機能的詳細は、制限として解釈されるべきでなく、しかし単に当業者に本考案をさまざまに使用することを教示するための代表的なベースとしてだけ解釈されるべきである。
【００１４】
図３−５を参照して、本考案の好ましい一実施態様に従うＤＣ−ＤＣコンバータモジュールを有する電源の斜視図が、例示される。図３−４に示すように、電源３００はマザーボード３１０、ＤＣ−ＤＣコンバータモジュール３１３およびハウジング３２０を含む。ハウジング３２０の一例は、後面パネル３１９、底部パネル３２１および前面パネル３２２によって画成される内部体積を含む。電源３００の前面パネル３２２に取付けられる従来の入力ソケット３１２および従来のオン／オフ動作のスイッチ３１６を含むが、これに限定されるものではない。入力ソケット３１２は、例えば、レセプタクルまたは他のコンセントから電源３００まで電流を供給するためにそれに対して電源コードの接続を可能にする、パーソナルコンピュータ産業内で使用される従来のタイプであることができる。底部パネル３２１は、その上にマザーボード３１０を固定するために活用される。さらに、電源の供給はオン／オフ動作のスイッチ３１６によって制御されることができる。
【００１５】
いずれにせよ、典型的な電源３００が一般に、マザーボード３１０上に取り付けられたトランス３１１、コンデンサ、抵抗器、フィルタ、などのようないくつかの基本構成部品を備えることは、今日、公知である。マザーボード３１０は、外部電源からＡＣ入力パワーを受け入れて、電源３００から、電源３００に結合される着脱可能なケーブル経由でコンピュータケースの内側に配設される構成部品まで、ＤＣ出力パワーを供給するために入力ソケット３１２によって外部電源に電気的に接続され、トランス３１１が、受け入れられたＡＣ入力パワーを１２ボルトのＡＣパワーに変換し、および、１２ボルトのＡＣパワーがフィルタによってフィルタをかけられて１２ボルトのＤＣパワーを供給する。
【００１６】
１２ボルトのＤＣパワーは、少なくとも一対のワイヤ３１４および３１５によってＤＣ−ＤＣコンバータモジュール３１３に配電される。示すように、ＤＣ−ＤＣコンバータモジュール３１３の回路は個々のプリント回路基板３２７を含んで、その上に取り付けられる。ＤＣ−ＤＣコンバータモジュール３１３および個々のプリント回路基板３２７は、電源３００のハウジング３２０の後面パネル３１９に固定される。
【００１７】
ＤＣ−ＤＣコンバータモジュール３１３の設計は、３．３ボルト、５ボルトおよび／または１２ボルトのような異なる電圧のＤＣ出力パワーを供給するために使用されることができる。換言すれば、ＤＣ−ＤＣコンバータモジュール３１３は１２ボルトのＤＣパワーを３．３ボルトおよび／または５ボルトのＤＣパワーに変換するのに使用されることができるＤＣ−ＤＣコンバータを含む。ソケット３１７は、導電性経路を経由してＤＣ−ＤＣコンバータモジュール３１３の３．３ボルト、５ボルトおよび／または１２ボルトのような異なる電圧でＤＣ出力パワーに電気的に接続される。この図３−５に示すように、電源３００の後面パネル３１９に取り付けられるソケット３１７は出力ソケット（例えば３．３ボルト、５ボルトおよび／または１２ボルトの出力ソケット）であることができる。
【００１８】
ＤＣ−ＤＣコンバータモジュール３１３は、電源３００のハウジング３２０の後面パネル３１９に固定される。後面パネル３１９は、それぞれ、３．３ボルトのパワー、５ボルトのパワー、補助パワーおよび周辺パワーおよび／または１２ボルトのパワーを供給するためのソケット３１７を収容するために、後面パネル３１９に形成される穴３１８を更に含む。換言すれば、ソケット３１７は後面パネル３１９に形成される穴３１８を通して取り付けられる。ソケット３１７は、ＤＣ−ＤＣコンバータモジュールの個々のプリント回路基板にほぼ垂直に挿入されて、個々のプリント回路基板の回路に電気的に接続される少なくとも一つの導体端子３２５を活用する。
【００１９】
加えて、電源３００は導体端子３２４の曲がった部分の主要面に対してほぼ垂直な方向に曲がった部分から延出する脚部部分を含む少なくとも一つの導体端子３２４を有する別のソケット３２３を更に含む。導体端子３２４の脚部部分は、マザーボード３１０に挿入されて、マザーボード３１０の回路に電気的に接続される。後面パネル３１９は、それぞれ、１２ボルトのＤＣパワー、補助パワーおよび／または周辺を供給するためのソケット３２３を収容するために、後面パネル３１９に形成される別の穴３２６を更に含む。
【００２０】
本考案によれば、ＤＣ−ＤＣコンバータモジュール３１３は電源３００のマザーボード３１０から切り離される。加えて、ＤＣ−ＤＣコンバータモジュール３１３およびＤＣ−ＤＣコンバータモジュール３１３の個々のプリント回路基板上にほぼ垂直に挿入される少なくとも一つの導体端子３２５を活用するソケット３１７は、統合されて、個々のプリント回路基板に構成される。さらに、ただ一対のワイヤ３１４、３１５だけがワイヤの使用およびワイヤのパワー損失を減少させるためにＤＣ−ＤＣコンバータモジュール３１３をマザーボード３１０に電気的に接続するために活用される。
【００２１】
従って、本考案によれば、下記のように記載されるいくつかの利点がある：
１．本考案は、従来のＤＣ−ＤＣコンバータの全ての利点および機能を保つことができる。
２．本考案は、マザーボードにソケットの物理的および電気的接続ができるようにするために、複数の導電性ワイヤによって、マザーボードから電源の後面パネルに形成される穴を通して取り付けられるソケットに３．３ボルトのＤＣパワーおよび５ボルトのＤＣパワーを供給するための、電源内の導電性ワイヤの使用を減少させることができる。
３．本考案は、電源内の導電性ワイヤの使用の減少によりパワー送出中のパワー消費量および電圧降下を更に減少させることができる。
４．本考案は、パワー消費量の減少により電源の効率を改善することができる。
５．この本考案において、マザーボードおよび個々のプリント回路基板の回路がそれぞれ設計されることができるように、マザーボードおよび個々のプリント回路基板が、ＤＣ−ＤＣコンバータモジュールが個々のプリント回路基板に取り付けられて、単独で３．３ボルトのＤＣパワーおよび／または５ボルトのＤＣパワーに１２ボルトのＤＣパワーを変換するために使用される２つの分離されたボードであるので、電源のパワー仕様は容易に設計されるかまたは変更されることができる。したがって、このＤＣ−ＤＣコンバータモジュールは、顧客の要求条件またはニーズに基づいて設計されることができ、そうすると、全ての電源を交換する代わりに、以前のＤＣ−ＤＣコンバータモジュールを交換するために元の電源内に取り付けられることができる。換言すれば、電源のパワー仕様を変更したい場合、電源の以前のＤＣ−ＤＣコンバータモジュールは、全部の電源を交換せずに個々に交換されることができる。
６．一旦マザーボードおよびＤＣ−ＤＣコンバータモジュールの１つが壊れたならば、マザーボードおよび個々のプリント回路基板が２つの分離されたボードであるので、マザーボードおよびＤＣ−ＤＣコンバータモジュールのうち１つがそれぞれ交換されることができる。したがって、一旦マザーボードおよびＤＣ−ＤＣコンバータモジュールのうち１つが壊れたならば、電源を修復するのにきわめて都合がいい。
【００２２】
当業者は、図面内に示されかつ上で記載されている本考案の実施態様が、例示的なだけであり、かつ、限定されることを目的としないことを理解するであろう。
【００２３】
本考案の好ましい実施態様の上記の説明は、図例および説明の目的のために示された。本考案を網羅的であるかまたは厳密な形態にもしくは開示された例示的な実施態様に限定することを目的とされない。したがって、上記の記述は限定的によりむしろ例証となるとみなされるべきである。明らかに、多くの修正および変更がこの技術の当業者にとって明らかである。実施態様は、本考案の原理およびその最良モードの実際的な応用を最もうまく説明するために選択されて記載されており、それによって当業者が、本考案を考察される特定の使用または実現に適するように、さまざまな実施態様に対して、および、さまざまな変更と共に理解できるようにする。全ての用語が特に明記しない限りそれらの最も幅広い合理的な意味で意味される、本願明細書に添付される請求の範囲およびそれらの等価物によって本考案の有効範囲が規定されることを目的とされる。変形が以下の請求の範囲に記載の本考案の有効範囲から逸脱することなく、当業者によって記載される実施態様においてなされることができると認識されるべきである。さらに、要素または構成要素が以下の請求の範囲内に明示的に記述されるか否かに関係なく、本開示内の何の要素もおよび構成要素も公衆に献呈されることを目的とされない。
【符号の説明】
【００２４】
１００  従来の電源
１１０  マザーボード
１１１  トランス
１１２  入力ソケット
１１３Ａ、１１３Ｂ、１１４Ａ、１１４Ｂ、１１５Ａ、１１５Ｂ、１１６Ａ、１１６Ｂ  ワイヤ
１１７  ソケット
１２０  ハウジング
２００  従来の電源
２１０  マザーボード
２１１  トランス
２１２  入力ソケット
２１３  ＤＣ−ＤＣコンバータ
２１７  ソケット
２２０  ハウジング
３００  電源
３１０  マザーボード
３１１  トランス
３１２  入力ソケット
３１３  ＤＣ−ＤＣコンバータモジュール
３１４、３１５  ワイヤ
３１６  スイッチ
３１７  ソケット
３１８  穴
３１９  後面パネル
３２０  ハウジング
３２１  底部パネル
３２２  前面パネル
３２３  別のソケット
３２４  導体端子
３２５  導体端子
３２６  別の穴
３２７  プリント回路基板
【図１】
0003171420.tif 000003
【図２】
0003171420.tif 000004
【図３】
0003171420.tif 000005
【図４】
0003171420.tif 000006
【図５】
0003171420.tif 000007